(57)【要約】  グループ通話画面を提供する方法およびシステムを開示する。コンピュータが実現する電子機器におけるグループ通話画面提供方法は、電子機器において、サーバからグループ通話に参加する複数の参加者画像をそれぞれ個別映像として受信する段階、および電子機器において、個別映像として受信された参加者画像を一画面にレンダリングしてグループ通話画面を構成する段階を含む。
2020536297.tif 000002
【特許請求の範囲】
【請求項１】
コンピュータが実現する電子機器におけるグループ通話画面提供方法であって、
前記電子機器において、サーバからグループ通話に参加する複数の参加者画像をそれぞれ個別映像として受信する段階、および
前記電子機器において、前記個別映像として受信された参加者画像を一画面にレンダリングしてグループ通話画面を構成する段階
を含む、グループ通話画面提供方法。
【請求項２】
前記構成する段階は、
前記グループ通話画面に表示しようとする画像の個数に応じて画面領域を分割し、分割された領域に前記参加者画像を配置する、
請求項１に記載のグループ通話画面提供方法。
【請求項３】
前記受信する段階は、
前記サーバから、前記グループ通話画面に表示する画像の個数に応じてサイズと１秒あたりのフレーム数（ｆｐｓ）のうちの少なくとも一方が調整された参加者画像を受信する、
請求項１に記載のグループ通話画面提供方法。
【請求項４】
前記受信する段階は、
前記グループ通話画面に対するユーザ入力に対応して前記グループ通話画面に表示する画像の個数を決定した後、該当の画像を前記サーバに要求する段階、および
前記サーバから、前記決定された個数に応じてサイズと１秒あたりのフレーム数（ｆｐｓ）が調整された参加者画像を受信する段階
を含む、請求項１に記載のグループ通話画面提供方法。
【請求項５】
前記グループ通話画面に表示する画像の個数が多いほど前記１秒あたりフレーム数は小さくなり、前記グループ通話画面に表示する画像の個数が少ないほど前記１秒あたりのフレーム数は多くなる、
請求項３または４に記載のグループ通話画面提供方法。
【請求項６】
前記構成する段階は、
以前のサイズの参加者画像によって前記グループ通話画面を構成している状態で前記決定された個数の参加者画像が受信されると、前記調整されたサイズの参加者画像によって前記グループ通話画面を構成する、
請求項４に記載のグループ通話画面提供方法。
【請求項７】
前記グループ通話画面に表示する画像の個数は、複数の段階で段階的に調整され、
前記グループ通話画面に対する拡大ジェスチャまたは縮小ジェスチャが入力された場合、該当のジェスチャに対応する段階に応じて前記グループ通話画面に表示する画像の個数を調整する、
請求項４に記載のグループ通話画面提供方法。
【請求項８】
前記構成する段階は、
前記グループ通話画面に表示された参加者画像のうち、ユーザ入力による特定の画像の位置を移動するか削除することによって前記グループ通話画面を再配置する、
請求項１に記載のグループ通話画面提供方法。
【請求項９】
コンピュータにグループ通話画面提供方法を実行させるためのコンピュータプログラムであって、
前記グループ通話画面提供方法は、
サーバから、グループ通話に参加する複数の参加者画像をそれぞれ個別映像として受信する段階、および
前記個別映像として受信された参加者画像を一画面にレンダリングしてグループ通話画面を構成する段階
を含む、コンピュータプログラム。
【請求項１０】
コンピュータが実現する電子機器におけるグループ通話システムであって、
コンピュータ読み取り可能な命令を実行するように実現される少なくとも１つのプロセッサ
を含み、
前記少なくとも１つのプロセッサは、
前記電子機器において、サーバから、グループ通話に参加する複数の参加者画像をそれぞれ個別映像として受信し、前記個別映像として受信された参加者画像を一画面にレンダリングしてグループ通話画面を構成する画面構成部
を備える、グループ通話システム。
【請求項１１】
前記画面構成部は、
前記グループ通話画面に表示しようとする画像の個数に応じて画面領域を分割し、分割された領域に前記参加者画像を配置する、
請求項１０に記載のグループ通話システム。
【請求項１２】
前記画面構成部は、
前記サーバから、前記グループ通話画面に表示する画像の個数に応じてサイズと１秒あたりのフレーム数（ｆｐｓ）のうちの少なくとも一方が調整された参加者画像を受信する、
請求項１０に記載のグループ通話システム。
【請求項１３】
前記少なくとも１つのプロセッサは、
前記グループ通話画面に対するユーザ入力に対応して前記グループ通話画面に表示する画像の個数を決定した後、該当の画像を前記サーバに要求する画像要求部
をさらに備え、
前記画面構成部は、
前記サーバから、前記決定された個数に応じてサイズと１秒あたりのフレーム数（ｆｐｓ）が調整された参加者画像を受信する、
請求項１０に記載のグループ通話システム。
【請求項１４】
前記グループ通話画面に表示する画像の個数が多いほど前記１秒あたりのフレーム数は小さくなり、前記グループ通話画面に表示する画像の個数が少ないほど前記１秒あたりのフレーム数は多くなる、
請求項１２または１３に記載のグループ通話システム。
【請求項１５】
前記画面構成部は、
以前のサイズの参加者画像によって前記グループ通話画面を構成している状態で前記決定された個数の参加者画像が受信されると、前記調整されたサイズの参加者画像によって前記グループ通話画面を構成する、
請求項１３に記載のグループ通話システム。
【請求項１６】
前記グループ通話画面に表示する画像の個数は、複数の段階で段階的に調整され、
前記グループ通話画面に対する拡大ジェスチャまたは縮小ジェスチャが入力される場合、該当のジェスチャに対応する段階に応じて前記グループ通話画面に表示する画像の個数を調整する、
請求項１３に記載のグループ通話システム。
【請求項１７】
前記画面構成部は、
前記グループ通話画面に表示された参加者画像のうち、ユーザ入力による特定の画像の位置を移動するか削除することによって前記グループ通話画面を再配置する、
請求項１０に記載のグループ通話システム。
【請求項１８】
コンピュータが実現するサーバにおけるグループ通話システムであって、
コンピュータ読み取り可能な命令を実行するように実現される少なくとも１つのプロセッサ
を含み、
前記少なくとも１つのプロセッサは、
電子機器の要求に従って、グループ通話に参加する複数の参加者画像をそれぞれ個別映像として前記電子機器に送信する過程
を処理し、
前記電子機器では、前記個別映像として受信された参加者画像を一画面にレンダリングしてグループ通話画面を構成し、
前記送信する過程は、
前記電子機器が前記グループ通話画面の再構成のために要求した参加者画像の個数に応じて、該当の参加者画像のサイズと１秒あたりのフレーム数（ｆｐｓ）のうちの少なくとも一方を調整し、前記電子機器に再送信する、
グループ通話システム。
【発明の詳細な説明】
【技術分野】
【０００１】
以下の説明は、画像通話機能を提供する技術に関する。
【背景技術】
【０００２】
最近の通信デバイスは、音声通話サービスやメッセージサービスの他にも、無線インターネットサービスや地上波／衛星放送サービスなどのような多様なサービスを提供している。
【０００３】
特に、映像の圧縮技術と復元技術の発展によってカメラが備えられたデバイスが常用化し、相手の顔を確認しながら通話することができる映像通話サービスが提供されるようになった。
【０００４】
映像通話サービスを提供する技術の一例として、特許文献１（韓国登録特許第１０−０４０１２６２号公報（登録日２００３年０９月２９日））には、無線環境の移動電話網において移動電話端末機間で画像電話サービスを提供する技術が開示されている。
【先行技術文献】
【特許文献】
【０００５】
【特許文献１】韓国登録特許第１０−０４０１２６２号公報
【発明の概要】
【発明が解決しようとする課題】
【０００６】
グループ通話に参加した複数の参加者画像を一画面に同時に表示するグループ通話画面を効率的に構成することができる方法およびシステムを提供する。
【０００７】
サーバから各参加者画像を個別に受信し、クライアント側でグループ通話画面を自由に構成することができる方法およびシステムを提供する。
【０００８】
クライアントが要求する画像の個数に応じて画像のサイズと１秒あたりのフレーム数を調整して提供することができる方法およびシステムを提供する。
【課題を解決するための手段】
【０００９】
コンピュータが実現する電子機器におけるグループ通話画面の提供方法であって、前記電子機器において、サーバからグループ通話に参加する複数の参加者画像をそれぞれ個別映像として受信する段階、および前記電子機器において、前記個別映像として受信された参加者画像を一画面にレンダリング（ｒｅｎｄｅｒｉｎｇ）してグループ通話画面を構成する段階を含む、グループ通話画面提供方法を提供する。
【００１０】
一側面によると、前記構成する段階は、前記グループ通話画面に表示しようとする画像の個数に応じて画面領域を分割し、分割された領域に前記参加者画像を配置してよい。
【００１１】
他の側面によると、前記受信する段階は、前記サーバから、前記グループ通話画面に表示する画像の個数に応じてサイズと１秒あたりのフレーム数（ｆｐｓ：ｆｒａｍｅ  ｐｅｒ  ｓｅｃｏｎｄ）のうちの少なくとも一方が調整された参加者画像を受信してよい。
【００１２】
また他の側面によると、前記受信する段階は、前記グループ通話画面に対するユーザ入力に対応して前記グループ通話画面に表示する画像の個数を決定した後、該当の画像を前記サーバに要求する段階、および前記サーバから、前記決定された個数に応じてサイズと１秒あたりのフレーム数（ｆｐｓ）が調整された参加者画像を受信する段階を含んでよい。
【００１３】
また他の側面によると、前記グループ通話画面に表示する画像の個数が多いほど前記１秒あたりのフレーム数は小さくなり、前記グループ通話画面に表示する画像の個数が少ないほど前記１秒あたりのフレーム数は多くなってよい。
【００１４】
また他の側面によると、前記構成する段階は、以前のサイズの参加者画像によって前記グループ通話画面を構成している状態で、前記決定された個数の参加者画像が受信されると、前記調整されたサイズの参加者画像によって前記グループ通話画面を構成してよい。
【００１５】
また他の側面によると、前記グループ通話画面に表示する画像の個数は複数の段階で段階的に調整され、前記グループ通話画面に対する拡大ジェスチャまたは縮小ジェスチャが入力された場合、該当のジェスチャに対応する段階によって前記グループ通話画面に表示する画像の個数を調整してよい。
【００１６】
さらに他の側面によると、前記構成する段階は、前記グループ通話画面に表示された参加者画像のうち、ユーザ入力による特定の画像の位置を移動するか削除することにより、前記グループ通話画面を再配置してよい。
【００１７】
コンピュータにグループ通話画面提供方法を実行させるためのコンピュータプログラムであって、前記グループ通話画面提供方法は、サーバから、グループ通話に参加する複数の参加者画像をそれぞれ個別映像として受信する段階、および前記個別映像として受信された参加者画像を一画面にレンダリング（ｒｅｎｄｅｒｉｎｇ）してグループ通話画面を構成する段階を含む、コンピュータプログラムを提供する。
【００１８】
コンピュータが実現する電子機器におけるグループ通話システムであって、コンピュータ読み取り可能な命令を実行するように実現される少なくとも１つのプロセッサを含み、前記少なくとも１つのプロセッサは、前記電子機器において、サーバから、グループ通話に参加する複数の参加者画像をそれぞれ個別映像として受信し、前記個別映像として受信された参加者画像を一画面にレンダリング（ｒｅｎｄｅｒｉｎｇ）してグループ通話画面を構成する画面構成部を備える、グループ通話システムを提供する。
【００１９】
コンピュータが実現するサーバにおけるグループ通話システムであって、コンピュータ読み取り可能な命令を実行するように実現される少なくとも１つのプロセッサを含み、前記少なくとも１つのプロセッサは、電子機器の要求に従って、グループ通話に参加する複数の参加者画像をそれぞれ個別映像として前記電子機器に送信する過程を処理し、前記電子機器では、前記個別映像として受信された参加者画像を一画面にレンダリング（ｒｅｎｄｅｒｉｎｇ）してグループ通話画面を構成し、前記送信する過程は、前記電子機器において前記グループ通話画面の再構成のために要求した参加者画像の個数に応じて該当の参加者画像のサイズと１秒あたりのフレーム数（ｆｐｓ）のうちの少なくとも一方を調整して前記電子機器に再送信する、グループ通話システムを提供する。
【発明の効果】
【００２０】
本発明の実施形態によると、サーバからグループ通話に参加した複数の参加者画像を個別に受信し、クライアント側でグループ通話画面を構成することにより、複数の参加者画像を一画面に同時に表示するグループ通話画面を効率的かつ自由に構成することができる。
【００２１】
本発明の実施形態によると、クライアントが要求する画像の個数に応じてサーバで画像のサイズと１秒あたりのフレーム数を調整して提供することにより、サーバの負荷を効果的に減らすことができ、ネットワーク資源を効率的に使用することができる。
【００２２】
本発明の実施形態によると、グループ通話画面の拡大や縮小によってグループ通話画面に表示される画像の個数を調整したり、グループ通話画面に表示される画像の移動や削除によってグループ通話画面を編集したりすることができ、これによってグループ通話画面に対する多様なＵＸ（ｕｓｅｒ  ｅｘｐｅｒｉｅｎｃｅ）を提供することができる。
【図面の簡単な説明】
【００２３】
【図１】本発明の一実施形態における、ネットワーク環境の例を示した図である。
【図２】本発明の一実施形態における、電子機器およびサーバの内部構成を説明するためのブロック図である。
【図３】本発明の一実施形態における、電子機器のプロセッサが含むことのできる構成要素の例を示した図である。
【図４】本発明の一実施形態における、電子機器が実行することのできる方法の例を示したフローチャートである。
【図５】本発明の一実施形態における、参加者画像を受信してグループ通話画面を構成する過程を説明するための例示図である。
【図６】本発明の一実施形態における、参加者画像を受信してグループ通話画面を構成する過程を説明するための例示図である。
【図７】本発明の一実施形態における、参加者画像を受信してグループ通話画面を構成する過程を説明するための例示図である。
【図８】本発明の一実施形態における、グループ通話画面を再配置する過程を説明するための例示図である。
【図９】本発明の一実施形態における、グループ通話画面を再配置する過程を説明するための例示図である。
【図１０】本発明の一実施形態における、グループ通話画面を再配置する過程を説明するための例示図である。
【図１１】本発明の一実施形態における、グループ通話画面を再構成する過程を説明するための例示図である。
【図１２】本発明の一実施形態における、グループ通話画面を再構成する過程を説明するための例示図である。
【発明を実施するための形態】
【００２４】
以下、本発明の実施形態について、添付の図面を参照しながら詳しく説明する。
【００２５】
本発明の実施形態は、画像通話機能を提供する技術に関し、より詳細には、グループ通話に参加した複数の参加者画像を一画面に同時に表示するグループ通話画面を効率的に構成することができる方法およびシステムに関する。
【００２６】
本明細書において具体的に開示される事項を含む実施形態は、サーバからグループ通話に参加した複数の参加者画像を個別に受信してクライアント側でグループ通話画面を構成することができ、これによって効率性、利便性、娯楽要素、資源節減、費用節減などの側面において相当な長所を達成することができる。
【００２７】
図１は、本発明の一実施形態における、ネットワーク環境の例を示した図である。図１のネットワーク環境は、複数の電子機器１１０、１２０、１３０、１４０、複数のサーバ１５０、１６０、およびネットワーク１７０を含む例を示している。このような図１は、発明の説明のための一例に過ぎず、電子機器の数やサーバの数が図１のように限定されることはない。
【００２８】
複数の電子機器１１０、１２０、１３０、１４０は、コンピュータ装置によって実現される固定端末や移動端末であってよい。複数の電子機器１１０、１２０、１３０、１４０の例としては、スマートフォン、携帯電話、タブレット、ＰＣ（ｐｅｒｓｏｎａｌ  ｃｏｍｐｕｔｅｒ）、ナビゲーション、コンピュータ、ノート型パソコン、デジタル放送用端末、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）などがある。一例として、第１電子機器１１０は、無線または有線通信方式を利用し、ネットワーク１７０を介して他の電子機器１２０、１３０、１４０および／またはサーバ１５０、１６０と通信してよい。
【００２９】
通信方式が限定されることはなく、ネットワーク１７０が含むことのできる通信網（一例として、移動通信網、有線インターネット、無線インターネット、放送網）を活用する通信方式だけではなく、機器間の近距離無線通信が含まれてもよい。例えば、ネットワーク１７０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでよい。さらに、ネットワーク１７０は、バスネットワーク、スターネットワーク、リングネットワーク、メッシュネットワーク、スター−バスネットワーク、ツリーまたは階層的（ｈｉｅｒａｒｃｈｉｃａｌ）ネットワークなどを含むネットワークトポロジのうちの任意の１つ以上を含んでもよいが、これらに限定されることはない。
【００３０】
サーバ１５０、１６０それぞれは、電子機器１１０、１２０、１３０、１４０とネットワーク１７０を介して通信して命令、コード、ファイル、コンテンツ、サービスなどを提供する１つ以上のコンピュータ装置によって実現されてよい。一例として、サーバ１６０は、ネットワーク１７０を介して接続した第１電子機器１１０にアプリケーションのインストールのためのファイルを提供してよい。この場合、第１電子機器１１０は、サーバ１６０から提供されたファイルを利用してアプリケーションをインストールしてよい。また、第１電子機器１１０が含むオペレーティングシステム（Ｏｐｅｒａｔｉｎｇ  Ｓｙｓｔｅｍ：ＯＳ）や少なくとも１つのプログラム（一例として、ブラウザや前記のインストールされたアプリケーション）の制御に従ってサーバ１５０に接続し、サーバ１５０が提供するサービスやコンテンツの提供を受けてよい。例えば、第１電子機器１１０がアプリケーションの制御に従って、ネットワーク１７０を介してサービス要求メッセージをサーバ１５０に送信すると、サーバ１５０はサービス要求メッセージに対応するコードを第１電子機器１１０に送信してよく、第１電子機器１１０は、アプリケーションの制御に従ってコードに基づいた画面を構成して表示することにより、ユーザにコンテンツを提供してよい。
【００３１】
図２は、本発明の一実施形態における、電子機器およびサーバの内部構成を説明するためのブロック図である。図２では、１つの電子機器に対する例として第１電子機器１１０の内部構成を、１つのサーバに対する例としてサーバ１５０の内部構成を説明する。他の電子機器１２０、１３０、１４０やサーバ１６０も、同一または類似の内部構成を有してもよい。
【００３２】
電子機器１１０およびサーバ１５０は、メモリ２１１、２２１、プロセッサ２１２、２２２、通信モジュール２１３、２２３、および入力／出力インタフェース２１４、２２４を含んでよい。メモリ２１１、２２１は、コンピュータ読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような永続的大容量記録装置を含んでよい。また、メモリ２１１、２２１には、オペレーティングシステムと、少なくとも１つのプログラムコード（一例として、第１電子機器１１０においてインストールされて実行されるアプリケーションなどのためのコード）が記録されてよい。このようなソフトウェア構成要素は、メモリ２１１、２２１とは別のコンピュータ読み取り可能な記録媒体からロードされてよい。このような別のコンピュータ読み取り可能な記録媒体は、フロッピードライブ、ディスク、テープ、ＤＶＤ／ＣＤ−ＲＯＭドライブ、メモリカードなどのコンピュータ読み取り可能な記録媒体を含んでよい。他の実施形態において、ソフトウェア構成要素は、コンピュータ読み取り可能な記録媒体ではない通信モジュール２１３、２２３を通じてメモリ２１１、２２１にロードされてもよい。例えば、少なくとも１つのプログラムは、開発者またはアプリケーションのインストールファイルを配布するファイル配布システム（一例として、上述したサーバ１６０）がネットワーク１７０を介して提供するファイルによってインストールされるプログラム（一例として、上述したアプリケーション）に基づいてメモリ２１１、２２１にロードされてよい。
【００３３】
プロセッサ２１２、２２２は、基本的な算術、ロジック、および入出力演算を実行することにより、コンピュータプログラムの命令を処理するように構成されてよい。命令は、メモリ２１１、２２１または通信モジュール２１３、２２３によって、プロセッサ２１２、２２２に提供されてよい。例えば、プロセッサ２１２、２２２は、メモリ２１１、２２１のような記録装置に記録されたプログラムコードに従って受信される命令を実行するように構成されてよい。
【００３４】
通信モジュール２１３、２２３は、ネットワーク１７０を介して第１電子機器１１０とサーバ１５０とが互いに通信するための機能を提供してもよいし、他の電子機器（一例として、第２電子機器１２０）または他のサーバ（一例として、サーバ１６０）と通信するための機能を提供してもよい。一例として、第１電子機器１１０のプロセッサ２１２がメモリ２１１のような記録装置に記録されたプログラムコードに従って生成した要求（一例として、検索要求）が、通信モジュール２１３の制御に従ってネットワーク１７０を介してサーバ１５０に伝達されてよい。これとは逆に、サーバ１５０のプロセッサ２２２の制御に従って提供される制御信号や命令、コンテンツ、ファイルなどが、通信モジュール２２３とネットワーク１７０を経て第１電子機器１１０の通信モジュール２１３を通じて第１電子機器１１０に受信されてよい。例えば、通信モジュール２１３を通じて受信されたサーバ１５０の制御信号や命令などは、プロセッサ２１２やメモリ２１１に伝達されてよく、コンテンツやファイルなどは、第１電子機器１１０がさらに含むことのできる記録媒体に記録されてよい。
【００３５】
入力／出力インタフェース２１４は、入力／出力装置２１５とのインタフェースのための手段であってよい。例えば、入力装置は、キーボードまたはマウスなどの装置を、出力装置は、アプリケーションの通信セッションを表示するためのディスプレイのような装置を含んでよい。他の例として、入力／出力インタフェース２１４は、タッチスクリーンのように入力と出力のための機能が１つに統合された装置とのインタフェースのための手段であってもよい。より具体的な例として、第１電子機器１１０のプロセッサ２１２は、メモリ２１１にロードされたコンピュータプログラムの命令を処理するにあたり、サーバ１５０や第２電子機器１２０が提供するデータを利用して構成されるサービス画面やコンテンツが、入力／出力インタフェース２１４を通じてディスプレイに表示されてよい。入力／出力インタフェース２２４も同様に、サーバ１５０のプロセッサ２２２がメモリ２２１にロードされたコンピュータプログラムの命令を処理するにあたり、サーバ１５０が提供するデータを利用して構成される情報を出力してよい。
【００３６】
また、他の実施形態において、第１電子機器１１０およびサーバ１５０は、図２の構成要素よりも多くの構成要素を含んでもよい。例えば、第１電子機器１１０は、上述した入力／出力装置２１５のうちの少なくとも一部を含むように実現されてもよいし、トランシーバ、ＧＰＳ（Ｇｌｏｂａｌ  Ｐｏｓｉｔｉｏｎｉｎｇ  Ｓｙｓｔｅｍ）モジュール、カメラ、各種センサ、データベースなどのような他の構成要素をさらに含んでもよい。より具体的な例として、第１電子機器１１０がスマートフォンである場合、一般的にスマートフォンが含んでいる加速度センサやジャイロセンサ、カメラ、物理的な各種ボタン、タッチパネルを利用したボタン、入力／出力ポート、振動のための振動器などのような多様な構成要素が、第１電子機器１１０にさらに含まれるように実現されてよいことが分かる。しかし、大部分の従来技術的構成要素を明確に図に示す必要はない。
【００３７】
図３は、本発明の一実施形態における、電子機器のプロセッサが含むことのできる構成要素の例を示したブロック図であり、図４は、本発明の一実施形態における、電子機器が実行することのできる方法の例を示したフローチャートである。
【００３８】
本実施形態に係る第１電子機器１１０には、コンピュータによって実現されるグループ通話システムが構成されてよい。グループ通話システムは、第１電子機器１１０上にインストールされるアプリケーションの形態で実現され、サーバ１５０との連動によるネットワーク環境においてグループ通話サービスを提供してよい。
【００３９】
例えば、第１電子機器１１０にインストールされたアプリケーションが提供する命令に基づいて第１電子機器１１０に実現されたグループ通話システムは、グループ通話画面提供方法を実行してよい。図４に係るグループ通話画面提供方法を実行するために、第１電子機器１１０のプロセッサ２１２は、構成要素として、図３に示すように、画像要求部３１０および画面構成部３２０を備えてよい。実施形態によって、プロセッサ２１２の構成要素は、選択的にプロセッサ２１２に含まれても除外されてもよい。また、実施形態によって、プロセッサ２１２の構成要素は、プロセッサ２１２の機能の表現のために分離されても併合されてもよい。
【００４０】
このようなプロセッサ２１２およびプロセッサ２１２の構成要素は、図４のグループ通話画面提供方法に含まれる段階４１０〜段階４４０を実行するように第１電子機器１１０を制御してよい。例えば、プロセッサ２１２およびプロセッサ２１２の構成要素は、メモリ２１１が含むオペレーティングシステムのコードと、少なくとも１つのプログラムのコードとによる命令（ｉｎｓｔｒｕｃｔｉｏｎ）を実行するように実現されてよい。
【００４１】
ここで、プロセッサ２１２の構成要素は、第１電子機器１１０に記録されたプログラムコードが提供する命令（一例として、第１電子機器１１０で実行されたアプリケーションが提供する命令）に従ってプロセッサ２１２によって実行される、プロセッサ２１２の互いに異なる機能（ｄｉｆｆｅｒｅｎｔ  ｆｕｎｃｔｉｏｎｓ）の表現であってよい。例えば、第１電子機器１１０がグループ通話のための画像を要求するように上述した命令に従って第１電子機器１１０を制御するプロセッサ２１２の機能的表現として、画像要求部３１０が利用されてよい。
【００４２】
段階４１０において、プロセッサ２１２は、第１電子機器１１０の制御と関連する命令がロードされたメモリ２１１から必要な命令を読み取ってよい。この場合、読み取られた命令は、以下で説明する段階４２０〜段階４４０をプロセッサ２１２が実行するように制御するための命令を含んでよい。
【００４３】
段階４２０において、画面構成部３２０は、第１電子機器１１０のユーザのグループ通話への参加意思をサーバ１５０に伝達するが、このとき、ユーザがグループ通話に参加した初期には、サーバ１５０から事前に定められた最大人数（例えば、２万名）の参加者画像を個別映像としてそれぞれ受信した後、受信された参加者画像を一画面にレンダリング（ｒｅｎｄｅｒｉｎｇ）してグループ通話画面を構成してよい。サーバ１５０側で複数の参加者画像を含んだ１つの映像を生成して第１電子機器１１０に提供するのではなく、サーバ１５０は、各参加者画像を個別映像として第１電子機器１１０に送信し、第１電子機器１１０で複数の参加者画像を一画面のグループ通話画面として構成するのである。このとき、サーバ１５０は、最大人数の参加者画像を提供する場合、事前に定められた最小サイズと最小ｆｐｓ（ｆｒａｍｅ  ｐｅｒ  ｓｅｃｏｎｄ）（例えば、１ｆｐｓ）によって参加者画像を提供する。この後、サーバ１５０は、一定の人数以上の参加者画像を同一ｆｐｓで提供する場合、参加者画像全体を同一時点で一括送信するのではなく、参加者画像を複数のグループに分け、グループ間に単位時間（１秒）内の差のある送信周期を適用して送信してよい。
【００４４】
段階４３０において、画像要求部３１０は、グループ通話に参加する複数の参加者の画像をサーバ１５０に要求するものであって、グループ通話画面に対するユーザ入力に対応してグループ通話画面に表示する参加者画像の個数を決定した後、該当の参加者画像をサーバ１５０に再要求してよい。ユーザは、第１電子機器１１０のディスプレイに表示されたグループ通話画面に対するタッチあるいはズーム（ｐｉｎｃｈ  ｚｏｏｍ  ｉｎ／ｐｉｎｃｈ  ｚｏｏｍ  ｏｕｔ）などのジェスチャを利用してグループ通話画面に表示しようとする画像の個数を選択的に調節してよい。例えば、ユーザがズームインを実行する場合には、グループ通話画面に表示される画像の個数は少なくなり、ズームアウトを実行する場合には、画像の個数は多くなる。このとき、画像要求部３１０は、ユーザ入力と対応する地点、例えば、タッチ地点を基準としてグループ通話画面に表示する参加者画像を選択し、選択された参加者画像をサーバ１５０に再要求してよい。それぞれの参加者画像には該当の参加者や画像を識別するための識別子が含まれてよく、ユーザ入力によって選択された画像は、該当の画像の識別子を利用してサーバ１５０に再要求されてよい。
【００４５】
段階４４０において、画面構成部３２０は、参加者画像の再要求に従って、サーバ１５０から該当の参加者画像を個別映像としてそれぞれ受信した後、受信された参加者画像を一画面にレンダリングしてグループ通話画面を再構成してよい。このとき、サーバ１５０は、第１電子機器１１０が再要求した参加者画像の個数に対応して第１電子機器１１０に提供する画像サイズとｆｐｓを再調整してよい。言い換えれば、サーバ１５０は、グループ通話画面に表示しようとする参加者画像の個数に応じて参加者画像のサイズとｆｐｓを調整して提供してよい。グループ通話画面に表示する参加者画像の個数が多いほど、映像サイズとｆｐｓは小さくなり、グループ通話画面に表示する参加者画像の個数が少ないほど、映像サイズとｆｐｓは大きくなる。さらに、第１電子機器１１０が再要求した参加者画像の個数が一定の個数以上であれば、サーバ１５０で参加者画像を複数のグループに分け、グループ間に単位時間（１秒）内の差のある送信周期を適用して送信してよく、一定の個数未満の参加者画像が要求される場合には、同一ｆｐｓの参加者画像全体を単位時間ごとに同一時点に一括送信してよい。
【００４６】
したがって、グループ通話システムは、グループ通話に参加した初期には最小サイズの参加者画像で構成されたグループ通話画面を提供し、拡大ジェスチャに応じて段階的により大きなサイズの参加者画像で構成されたグループ通話画面を提供することが可能となる。
【００４７】
図５〜図７は、本発明の一実施形態における、参加者画像を受信してグループ通話画面を構成する過程を説明するための例示図である。
【００４８】
図５を参照すると、サーバ１５０は、特定のグループ通話に参加する参加者の電子機器５０−１、５０−２、５０−３、・・・、５０−ｎの相互間にリアルタイムで画像を受信して伝達することにより、グループ通話サービスを提供してよい。第１電子機器１１０のユーザが該当のグループ通話に参加する場合、定められた人数（Ｍ人）の参加者画像５１−１、５１−２、５１−３、・・・、５１−ｍを個別映像として第１電子機器１１０に伝達してよい。このとき、第１電子機器１１０は、サーバ１５０から個別映像として受信した参加者画像５１−１、５１−２、５１−３、・・・、５１−ｍを一画面にレンダリングしてグループ通話画面５００を構成してよい。
【００４９】
サーバ１５０は、第１電子機器１１０が要求する画像の個数に応じて、第１電子機器１１０に提供する映像サイズとｆｐｓを決定してよい。グループ通話画面５００に表示しようとする画像の個数を複数の段階（Ｌ個）で調整してよく、図６に示すように、複数の段階に対して各段階別に映像サイズ６１０とｆｐｓ６２０が事前に定められてよい。グループ通話画面５００に表示する画像の個数が多い段階であるほど、映像サイズ６１０とｆｐｓ６２０は小さくなり、グループ通話画面５００に表示する画像の個数が少ない段階であるほど、映像サイズ６１０とｆｐｓ６２０は大きくなる。例えば、グループ通話画面５００を、４段階である２万個、２百個、４個、１個の画像で構成してよく、最大サイズの映像を提供する段階（Ｌ段階）では２４ｆｐｓで、最小サイズの映像を提供する段階（１段階）では１ｆｐｓで映像を更新してよい。
【００５０】
グループ通話画面５００に表示する画像の個数が多いほどｆｐｓは減少するようになるが、サーバ１５０は、一定の個数以上の参加者画像を第１電子機器１１０に送信する場合、ｆｐｓによる映像更新時点を単位時間（１秒）内で調節してよい。図７を参照すると、サーバ１５０は、単位時間（１秒）内の所定の時間間隔を置いて参加者画像５１−１、５１−２、５１−３、・・・、５１−ｍを分けて第１電子機器１１０に送信してよい。このとき、サーバ１５０は、画像個数に応じて複数のグループに分け、グループ間に単位時間（１秒）内の差のある更新時点を適用して送信してよい。一定の個数以上の画像の場合には画像を分けて時間間隔を置いて更新し、一定の個数未満の画像の場合には画像全体を同一時点に一括更新してよい。画像が多いほどｆｐｓを減らすことにより、ゆとりのある画面更新が可能となり、画像間に時間間隔を置いて画面を更新することが可能となる。
【００５１】
図８〜図１０は、本発明の一実施形態における、グループ通話画面を再配置する過程を説明するための例示図である。
【００５２】
第１電子機器１１０は、サーバ１５０から参加者画像１〜Ｍを個別映像として受信するため、グループ通話画面５００を自由に構成してよい。一例として、第１電子機器１１０は、格子やモザイクなどの形態によって参加人数に画面領域を分割し、分割された領域に参加者画像１〜Ｍを配置することによってグループ通話画面５００を構成してよく、これにより、グループ通話画面５００に表示される参加者画像１〜Ｍの移動や削除などが容易となる。
【００５３】
例えば、図８を参照すると、第１電子機器１１０は、ユーザがグループ通話画面５００に表示された参加者画像１〜Ｍのうちから特定の画像８０を選択して移動させたい位置を選択した場合（例えば、特定の画像８０をタッチした状態で所望の位置にドラッグする場合）、選択された特定の画像８０を該当の位置に移動させてグループ通話画面５００を再配置してよい。
【００５４】
また、図９に示すように、ユーザがグループ通話画面５００で領域９０を設定して移動させたい位置を選択すると（例えば、領域９０を指定した後、該当の領域９０をタッチした状態で所望の位置にドラッグする場合）、該当の領域９０に属する画像を該当の位置に一括移動させることも可能である。
【００５５】
グループ通話画面５００に表示された画像の位置を移動させる以外にも、グループ通話画面５００に表示された画像を少なくとも１つ以上選択して削除することも可能である。図１０を参照すると、第１電子機器１１０は、ユーザがグループ通話画面５００に表示された参加者画像１〜Ｍのうちから特定の画像１００を選択して削除のためのジェスチャを入力した場合（例えば、特定の画像１００をタッチした状態でグループ通話画面５００の領域外にドラッグする場合）、選択された特定の画像１００はグループ通話画面５００から削除され、残りの画像を再配置してよい。図９を参照しながら説明したように、グループ通話画面５００で領域を設定し、該当の領域に属する画像を一括削除することも可能である。
【００５６】
したがって、第１電子機器１１０は、グループ通話に参加する参加者画像をサーバ１５０から個別映像として受信し、第１電子機器１１０側で直接にレンダリングしてグループ通話画面５００を構成することにより、位置移動や削除などが可能なグループ通話画面５００を提供することができる。
【００５７】
図１１および図１２は、本発明の一実施形態における、グループ通話画面を再構成する過程を説明するための例示図である。
【００５８】
特に、第１電子機器１１０は、グループ通話画面５００に対するタッチあるいはズーム（ｐｉｎｃｈ  ｚｏｏｍ  ｉｎ／ｐｉｎｃｈ  ｚｏｏｍ  ｏｕｔ）などのジェスチャに応じて表示しようとする画像の個数を選択的に調節し、グループ通話画面５００を再構成することができる。
【００５９】
グループ通話画面５００に表示しようとする画像の個数は、複数の段階（Ｌ個）で段階的に調整されてよく、例えば、２万個−＞２百個−＞４個−＞１個の順に拡大可能でもあるし、反対に１個−＞４個−＞２百個−＞２万個の順に縮小可能でもある。１段階ずつ順に調整される以外にも、ジェスチャの入力回数やサイズなどによって２段階以上ずつ調整されることも可能である。
【００６０】
図１１を参照すると、第１電子機器１１０は、ユーザがグループ通話画面５００の映像を拡大しようとする任意の位置でズームインを実行した場合、次の段階として定められた画像個数に従って、拡大ジェスチャが入力された位置を基準として拡大対象１１を決定してよい。第１電子機器１１０は、拡大対象１１として決定された参加者画像に対してサーバ１５０に再要求をするようになるが、これにより、サーバ１５０では第１電子機器１１０から再要求された画像の個数に応じて映像サイズとｆｐｓを調整し、サーバ１５０から再送信された参加者画像を利用してグループ通話画面１１００を再構成してよい。
【００６１】
これとは反対に、第１電子機器１１０は、ユーザがグループ通話画面１１００に対してズームアウトを実行する場合、以前の段階に対応する画像の個数に従って映像サイズとｆｐｓが調整された参加者画像をサーバ１５０から再受信し、以前の段階のグループ通話画面５００として再構成してよい。
【００６２】
図１２を参照すると、第１電子機器１１０は、次の段階のグループ通話画面１１００を再構成する過程において拡大対象として決定された参加者画像をサーバ１５０に再要求すると同時に、以前の段階のグループ通話画面５００を構成した参加者画像、すなわち、以前のサイズの参加者画像を利用して次の段階のグループ通話画面１２００を構成しておき、サーバ１５０から拡大されたサイズの参加者画像をすべて受信した後には、拡大されたサイズの参加者画像を利用して最終的な次の段階のグループ通話画面１１００を構成してよい。言い換えれば、第１電子機器１１０は、以前の段階のグループ通話画面５００から次の段階のグループ通話画面１１００に拡大するとき、以前のサイズの映像で画面レンダリングを実行し、サーバ１５０から拡大された映像がすべて受信した後には、画面を再度レンダリングして最終グループ通話画面１１００として更新してよい。
【００６３】
したがって、第１電子機器１１０は、グループ通話画面に表示しようとする画像の個数を増やしたり減らしたりしようとするとき、サーバ１５０に再要求し、サーバ１５０から、第１電子機器１１０が再要求した画像個数に応じて映像サイズとｆｐｓを調整して再送信がなされると、サイズとｆｐｓが調整された画像を利用してグループ通話画面を再構成することができる。
【００６４】
このように、本発明の実施形態によると、サーバからグループ通話に参加した複数の参加者画像を個別に受信してクライアント側でグループ通話画面を構成することにより、複数の参加者画像を一画面に同時に表示するグループ通話画面を効率的かつ自由に構成することができる。また、本発明の実施形態によると、クライアントが要求する画像の個数に応じてサーバが画像のサイズと１秒あたりのフレーム数を調整して提供することにより、サーバの負荷を効果的に減らすことができ、ネットワーク資源を効率的に使用することができる。さらに、本発明の実施形態によると、グループ通話画面の拡大や縮小によってグループ通話画面に表示される画像の個数を調整したり、グループ通話画面に表示される画像の移動や削除によってグループ通話画面を編集したりすることができ、これによってグループ通話画面に対する多様なＵＸを提供することができる。
【００６５】
上述した装置は、ハードウェア構成要素、ソフトウェア構成要素、および／またはハードウェア構成要素とソフトウェア構成要素との組み合わせによって実現されてよい。例えば、実施形態で説明された装置および構成要素は、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを記録、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【００６６】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、コンピュータ記録媒体または装置に具現化されてよい。ソフトウェアは、ネットワークによって接続されたコンピュータシステム上に分散され、分散された状態で記録されても実行されてもよい。ソフトウェアおよびデータは、１つ以上のコンピュータ読み取り可能な記録媒体に記録されてよい。
【００６７】
実施形態に係る方法は、多様なコンピュータ手段によって実行可能なプログラム命令の形態で実現されてコンピュータ読み取り可能な媒体に記録されてよい。ここで、媒体は、コンピュータ実行可能なプログラムを継続して記録するものであっても、実行またはダウンロードのために一時記録するものであってもよい。また、媒体は、単一または複数のハードウェアが結合した形態の多様な記録手段または格納手段であってよく、あるコンピュータシステムに直接接続する媒体に限定されることはなく、ネットワーク上に分散して存在するものであってもよい。媒体の例は、ハードディスク、フロッピー（登録商標）ディスク、および磁気テープのような磁気媒体、ＣＤ−ＲＯＭおよびＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどを含み、プログラム命令が記録されるように構成されたものであってよい。また、媒体の他の例として、アプリケーションを配布するアプリケーションストアやその他の多様なソフトウェアを供給または配布するサイト、サーバなどで管理する記録媒体または格納媒体が挙げられる。
【００６８】
以上のように、実施形態を、限定された実施形態および図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって代替されたり置換されたとしても、適切な結果を達成することができる。
【００６９】
したがって、異なる実施形態であっても、特許請求の範囲と均等なものであれば、添付される特許請求の範囲に属する。
【図１】
2020536297.tif 000003
【図２】
2020536297.tif 000004
【図３】
2020536297.tif 000005
【図４】
2020536297.tif 000006
【図５】
2020536297.tif 000007
【図６】
2020536297.tif 000008
【図７】
2020536297.tif 000009
【図８】
2020536297.tif 000010
【図９】
2020536297.tif 000011
【図１０】
2020536297.tif 000012
【図１１】
2020536297.tif 000013
【図１２】
2020536297.tif 000014
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
コンピュータにグループ通話画面提供方法を実行させるためのコンピュータプログラムであって、前記グループ通話画面提供方法は、
サーバからグループ通話に参加する複数の参加者画像をそれぞれ個別映像として受信する段階、
前記個別映像として受信された参加者画像を一画面にレンダリングしてグループ通話画面を構成する段階
を含む、コンピュータプログラム。
【請求項２】
前記構成する段階は、
前記グループ通話画面に表示しようとする画像の個数に応じて画面領域を分割し、分割された領域に前記参加者画像を配置する、
請求項１に記載のコンピュータプログラム。
【請求項３】
前記受信する段階は、
前記サーバから、前記グループ通話画面に表示する画像の個数に応じてサイズと１秒あたりのフレーム数のうちの少なくとも一方が調整された参加者画像を受信する、
請求項１または２に記載のコンピュータプログラム。
【請求項４】
前記受信する段階は、
前記グループ通話画面に対するユーザ入力に対応して前記グループ通話画面に表示する画像の個数を決定した後、該当の画像を前記サーバに要求する段階、
前記サーバから、前記決定された個数に応じてサイズと１秒あたりのフレーム数が調整された参加者画像を受信する段階
を含む、請求項１乃至３のいずれか一項に記載のコンピュータプログラム。
【請求項５】
前記グループ通話画面に表示する画像の個数が多いほど前記１秒あたりフレーム数は小さくなり、前記グループ通話画面に表示する画像の個数が少ないほど前記１秒あたりのフレーム数は多くなる、
請求項３または４に記載のコンピュータプログラム。
【請求項６】
前記構成する段階は、
以前のサイズの参加者画像によって前記グループ通話画面を構成している状態で前記決定された個数の参加者画像が受信されると、前記調整されたサイズの参加者画像によって前記グループ通話画面を構成する、
請求項４に記載のコンピュータプログラム。
【請求項７】
前記グループ通話画面に表示する画像の個数は、複数の段階で段階的に調整され、
前記グループ通話画面に対する拡大ジェスチャまたは縮小ジェスチャが入力された場合、該当のジェスチャに対応する段階に応じて前記グループ通話画面に表示する画像の個数を調整する、
請求項４または６に記載のコンピュータプログラム。
【請求項８】
前記構成する段階は、
前記グループ通話画面に表示された参加者画像のうち、ユーザ入力による特定の画像の位置を移動するか削除することによって前記グループ通話画面を再配置する、
請求項１乃至７のいずれか一項に記載のコンピュータプログラム。
【請求項９】
コンピュータが実現する電子機器が実行するグループ通話画面提供方法であって、
前記電子機器が、サーバから、グループ通話に参加する複数の参加者画像をそれぞれ個別映像として受信する段階、
前記電子機器が、前記個別映像として受信された参加者画像を一画面にレンダリングしてグループ通話画面を構成する段階
を含む、グループ通話画面提供方法。
【請求項１０】
コンピュータが実現する電子機器におけるグループ通話システムであって、
コンピュータ読み取り可能な命令を実行するように実現される少なくとも１つのプロセッサ
を含み、
前記少なくとも１つのプロセッサは、
前記電子機器において、サーバから、グループ通話に参加する複数の参加者画像をそれぞれ個別映像として受信し、前記個別映像として受信された参加者画像を一画面にレンダリングしてグループ通話画面を構成する画面構成部
を備える、グループ通話システム。
【請求項１１】
前記画面構成部は、
前記グループ通話画面に表示しようとする画像の個数に応じて画面領域を分割し、分割された領域に前記参加者画像を配置する、
請求項１０に記載のグループ通話システム。
【請求項１２】
前記画面構成部は、
前記サーバから、前記グループ通話画面に表示する画像の個数に応じてサイズと１秒あたりのフレーム数のうちの少なくとも一方が調整された参加者画像を受信する、
請求項１０または１１に記載のグループ通話システム。
【請求項１３】
前記少なくとも１つのプロセッサは、
前記グループ通話画面に対するユーザ入力に対応して前記グループ通話画面に表示する画像の個数を決定した後、該当の画像を前記サーバに要求する画像要求部
をさらに備え、
前記画面構成部は、
前記サーバから、前記決定された個数に応じてサイズと１秒あたりのフレーム数が調整された参加者画像を受信する、
請求項１０乃至１２のいずれか一項に記載のグループ通話システム。
【請求項１４】
前記グループ通話画面に表示する画像の個数が多いほど前記１秒あたりのフレーム数は小さくなり、前記グループ通話画面に表示する画像の個数が少ないほど前記１秒あたりのフレーム数は多くなる、
請求項１２または１３に記載のグループ通話システム。
【請求項１５】
前記画面構成部は、
以前のサイズの参加者画像によって前記グループ通話画面を構成している状態で前記決定された個数の参加者画像が受信されると、前記調整されたサイズの参加者画像によって前記グループ通話画面を構成する、
請求項１３に記載のグループ通話システム。
【請求項１６】
前記グループ通話画面に表示する画像の個数は、複数の段階で段階的に調整され、
前記グループ通話画面に対する拡大ジェスチャまたは縮小ジェスチャが入力される場合、該当のジェスチャに対応する段階に応じて前記グループ通話画面に表示する画像の個数を調整する、
請求項１３または１５に記載のグループ通話システム。
【請求項１７】
前記画面構成部は、
前記グループ通話画面に表示された参加者画像のうち、ユーザ入力による特定の画像の位置を移動するか削除することによって前記グループ通話画面を再配置する、
請求項１０乃至１６のいずれか一項に記載のグループ通話システム。
【請求項１８】
コンピュータが実現するサーバにおけるグループ通話システムであって、
コンピュータ読み取り可能な命令を実行するように実現される少なくとも１つのプロセッサ
を含み、
前記少なくとも１つのプロセッサは、
電子機器の要求に従って、グループ通話に参加する複数の参加者画像をそれぞれ個別映像として前記電子機器に送信する過程
を処理し、
前記電子機器では、前記個別映像として受信された参加者画像を一画面にレンダリングしてグループ通話画面を構成し、
前記送信する過程は、
前記電子機器が前記グループ通話画面の再構成のために要求した参加者画像の個数に応じて、該当の参加者画像のサイズと１秒あたりのフレーム数のうちの少なくとも一方を調整し、前記電子機器に再送信する、
グループ通話システム。
【国際調査報告】
2020536297.tif 000015
2020536297.tif 000016
2020536297.tif 000017
2020536297.tif 000018